(57)【要約】【課題】  携帯電話機において、秘匿性の高いダイヤルロック機能認証方式を得る。【解決手段】  携帯端末におけるダイヤルロック機能認証装置であって、表示画面上の入力操作に従って認証処理をなす画面表示認証部１６と、表示画面に表示されないユーザ操作に従って認証処理をなす画面非表示認証部１７とを設け、画面表示認証部１６では、通常の暗証番号などによる認証を行い、画面非表示認証部１７では、予めユーザにより登録されている特別な操作手順に従った、例えば、表示部の開閉操作を所定回数行ったかどうかにより、認証を行う。【選択図】      図２
2006191245.tif 000002
【特許請求の範囲】
【請求項１】
携帯端末におけるダイヤルロック機能認証装置であって、表示画面上の入力操作に従って認証処理をなす第一の認証手段と、前記表示画面に表示されないユーザ操作に従って認証処理をなす第二の認証手段とを含むことを特徴とするダイヤルロック機能認証装置。
【請求項２】
前記第二の認証手段は、予め登録された登録操作手順に従った操作がなされたか否かを判断して認証処理をなすよう構成されていることを特徴とする請求項１記載のダイヤルロック機能認証装置。
【請求項３】
前記登録操作手順は複数の組からなり、前記第二の認証手段は、前記複数の組の各々に従った操作がなされたか否かを判断することを特徴とする請求項２記載のダイヤルロック機能認証装置。
【請求項４】
請求項１〜３いずれか記載のダイヤルロック機能認証装置を適用したことを特徴とする携帯端末。
【請求項５】
携帯端末におけるダイヤルロック機能認証方法であって、表示画面上の入力操作に従って認証処理をなす第一の認証ステップと、前記表示画面に表示されないユーザ操作に従って認証処理をなす第二の認証ステップとを含むことを特徴とするダイヤルロック機能認証方法。
【請求項６】
前記第二の認証ステップは、予め登録された登録操作手順に従った操作がなされたか否かを判断して認証処理をなすよう構成されていることを特徴とする請求項５記載のダイヤルロック機能認証方法。
【請求項７】
前記登録操作手順は複数の組からなり、前記第二の認証ステップは、前記複数の組の各々に従った操作がなされたか否かを判断することを特徴とする請求項６記載のダイヤルロック機能認証方法。
【請求項８】
携帯端末におけるダイヤルロック機能認証方法をコンピュータに実行させるためのプログラムであって、表示画面上の入力操作に従って認証処理をなす第一の認証処理と、前記表示画面に表示されないユーザ操作に従って認証処理をなす第二の認証処理とを含むことを特徴とするプログラム。
【発明の詳細な説明】
【技術分野】
【０００１】
本発明はダイヤルロック機能認証装置及びその方法並びにそれを用いた携帯端末に関し、特により秘匿性を高めたダイヤルロック機能認証方式に関するものである。
【背景技術】
【０００２】
従来の携帯電話機におけるダイヤルロック機能の動作について、図７、図８を参照して説明する。図７は従来の携帯電話機におけるダイヤルロックの解除の際における動作を示すフローチャートである。携帯電話機がステップｄ１のダイヤルロック状態にあるとき、使用者がダイヤルロックを解除するためにステップｄ２のロック解除操作を行うと、携帯電話機は、使用者がダイヤルロックを解除しようとする操作を認識して、ダイヤルロック解除入力操作の画面表示ｄ３を行う。使用者はこの画面表示を見ながら必要な操作を実施する。
【０００３】
使用者がダイヤルロック解除に必要と認識している操作を実施し確定すると、携帯電話機はステップｄ４に移行し、入力された情報と予め登録されている情報との比較を行う認証作業を実施する。ステップｄ４において認証ＯＫ（Ｙｅｓ）の場合には、ステップｄ５に移行してダイヤルロックを解除する。ステップｄ４において認証ＮＧ（Ｎｏ）の場合には、ダイヤルロック状態のままで処理が終了することになる。
【０００４】
図８は従来の携帯電話機の認証登録動作を示すフローチャートであり、図７のステップｄ４における認証処理において、「予め登録されている情報」の登録方法を示す流れ図である。ステップｅ１において、使用者はキー操作等により携帯電話機を認証登録モードとする。ステップｅ２において、使用者は認証に必要な情報を入力し、ステップｅ３において、携帯電話機は入力された認証情報を図示せぬ記憶装置へ格納する。ステップｅ４において、認証設定登録完了が使用者に通知され認証登録が完了する。
【０００５】
ここで、特許文献１を参照すると、携帯電話機においてキーロックを設定／解除する機能を設けて、セキュリティの強化を図った技術が提案されている。すなわち、携帯電話機の液晶表示部を回転自在に構成しておき、使用者が予め登録設定した回転方向及び回転数の回転操作がなされたときのみ、キーロックを解除するようにして、正当使用者のみが携帯電話機の使用が可能となる様にしたものである。
【０００６】
また、特許文献２を参照すると、折り畳み式の携帯電話機において、折り畳んだ状態でロックする機構と使用者の正当性を認証する認証機能とを設けておき、使用者の認証がなされたときのみ、当該ロック機構を解除する技術が提案されている。
【０００７】
【特許文献１】特開２００２−６４６２０号公報
【特許文献２】特開２００２−３６８８７０号公報
【発明の開示】
【発明が解決しようとする課題】
【０００８】
図７及び図８を用いて説明した従来の携帯電話機におけるダイヤルロック機能においては、使用者がダイヤルロック解除操作を行う場合、携帯電話機は使用者の操作を認識してダイヤルロック解除入力操作の画面表示を行うようになっている。このために、表示されている画面よりダイヤルロック解除に必要な暗証番号入力などの操作種別が、画面表示より容易に類推できてしまう。
【０００９】
従って、秘匿性を高めるために、暗証番号の入力桁数を増やすなどの必要があるが、認証に暗証番号を使用することは判ってしまうため、使用者にとっては必ずしも秘匿性が高いとは言いがたいという課題がある。そこで、秘匿性をより高めるために、指紋認証などを使用することも考えられるが、機構や、回路、ソフトウェアなどの増加を伴うことになって、携帯電話機そのものが大きくなり、またコストがアップするなどの課題がある。
【００１０】
また、上述した特許文献１の技術では、携帯電話機の液晶表示部を回転自在に構成することが必要であり、また特許文献２の技術では、折り畳んだ状態でロックする機構及びこれを解除する機構が必要であり、上記と同様に、これまた装置の増大及びコストアップの要因となるという課題がある。
【００１１】
本発明の目的は、画面に表示される認証操作だけではなく、画面に表示されない解除操作およびその設定値を認証に含めることにより、認証の情報のみならず認証に使用する機能の種別を使用者以外の人には容易に類推できないように構成し、また新たな構成部品などを追加することなく容易に実現可能な構成とした、より秘匿性の高いダイヤルロック機能認証装置及びその方法並びにそれを用いた携帯端末を提供することにある。
【課題を解決するための手段】
【００１２】
本発明によるダイヤルロック機能認証装置は、携帯端末におけるダイヤルロック機能認証装置であって、表示画面上の入力操作に従って認証処理をなす第一の認証手段と、前記表示画面に表示されないユーザ操作に従って認証処理をなす第二の認証手段とを含むことを特徴とする。
【００１３】
本発明によるダイヤルロック機能認証方法は、表示画面上の入力操作に従って認証処理をなす第一の認証ステップと、前記表示画面に表示されないユーザ操作に従って認証処理をなす第二の認証ステップとを含むことを特徴とする。
【００１４】
本発明によるプログラムは、携帯端末におけるダイヤルロック機能認証方法をコンピュータに実行させるためのプログラムであって、表示画面上の入力操作に従って認証処理をなす第一の認証処理と、前記表示画面に表示されないユーザ操作に従って認証処理をなす第二の認証処理とを含むことを特徴とする。
【００１５】
本発明の作用を述べる。ダイヤルロック解除操作時に、表示部に表示される入力画面だけではなく、表示部に表示されない解除方法およびその設定値も認証に使用することにより、認証の情報のみならず認証に使用する機能の種別を使用者以外の人には容易に類推できないように構成することにより、秘匿性の高いダイヤルロック機能の認証が可能となる。
【発明の効果】
【００１６】
本発明によれば、携帯端末の画面に表示される認証操作だけではなく、画面に表示されない解除操作およびその設定値を認証に含めたので、認証の情報のみならず認証に使用する機能の種別を使用者以外の人には容易に類推できないようにすることが可能となって、より秘匿性の高いダイヤルロック機能認証方式が提供できるという効果がある。
【発明を実施するための最良の形態】
【００１７】
以下に、図面を参照しつつ本発明の実施の形態について説明する。図１を参照すると、本発明の実施の形態としての携帯電話機の構成の概略斜視図である。図１において、携帯電話機は、第一筐体１と、第二筐体２と、これを回転自在に接続するヒンジ部３と、使用者の音声信号を相手側に伝える送話部５と、相手側の音声信号を使用者に伝える受話部６と、各種情報を表示する表示部７と、携帯電話機の発着信や各種機能の操作を行う操作部８と、無線信号の送受信に使用されるアンテナ部９と、外部端子１０と、ヘッドセット端子１１などにより構成されている。また、その他には、光センサー１２や、表示部７において、タッチパネル（図示せず）などが搭載され構成される場合もある。
【００１８】
図２は本発明の実施の形態の携帯電話機の概略機能ブロック図である。図２を参照すると、本実施の形態の携帯電話機は、無線通信を行うための通信部１５と、図１に示した表示部７と、同じく図１に示した操作部８と、表示部７の画面に表示された認証機能に従って認証処理（表示画面上の入力操作に従って認証処理）をなす画面表示認証部１６と、表示部７の画面に表示されない認証機能（使用者により予め登録された操作に従う認証機能、すなわち表示画面に表示されないユーザ操作に従った認証処理、後述する）に従って認証処理をなす画面非表示認証部１７と、これら認証部１６，１７の認証処理のための認証用情報を予め登録した認証用情報記憶部１８とを有している。
【００１９】
また、本実施の形態の携帯電話機は、これら各部を制御するＣＰＵ（制御部）１９と、このＣＰＵ２０の制御動作を予めプログラムとして記録すると共に、ＣＰＵの作業用メモリとしての機能するメモリ２０とを有している。
【００２０】
次に、本実施例の携帯電話機のダイヤルロック機能認証の動作について、図３〜図５を用いて説明する。図３は本例における携帯電話機の画面表示イメージ図であり、図４は本例における携帯電話機の動作を示すフローチャートであり、図５は本例における認証登録動作を示すフローチャートである。
【００２１】
図３から以降は、画面表示される携帯電話機のダイヤルロック認証に暗証番号機能が使用されていると仮定した場合について説明する。携帯電話機がダイヤルロック状態にあるとき、図３（ａ）のように、表示部４には文字やアイコンなどによりダイヤルロック表示がされている。使用者がダイヤルロックを解除するために暗証番号入力操作を行うと、携帯電話機は使用者がダイヤルロックを解除しようとする操作を認識し、図３（ｂ）のように、ダイヤルロック解除入力操作の画面表示を行う。
【００２２】
使用者は画面表示を見ながら必要な番号入力操作を開始する。使用者がダイヤルロック解除に必要と認識している暗証番号入力操作を実施すると、図３（ｃ）となる。この後に、予め使用者により登録されている画面に表示されない機能を使用して認証操作を実施する。この操作を実施している最中の画面表示は変化しない。図３（ｃ）の画面表示による認証操作と、図３（ｄ）の画面に表示されない認証操作の入力が終わって、使用者が確定すると、予め使用者により登録されている認証操作および設定値と一致すればダイヤルロックが解除される。これが図３（ｅ）となる。認証がＮＧの場合はダイヤルロック状態のままで処理が終了する。
【００２３】
前述した図３の動作を、図４フローチャートを用いて説明する。図４において、ステップａ１は、携帯電話機がダイヤルロックの状態である。ステップａ２において、使用者がダイヤルロックを解除するための操作を行うと、携帯電話機は、使用者がダイヤルロックを解除しようとする操作を認識し、ダイヤルロック解除の入力操作の画面表示を行う。これがステップａ３であり、使用者は画面表示を見ながら必要な入力操作を開始する。このときの認証処理が、図２の画面表示認証部１６により、認証用情報記憶部１８に登録されている情報を用いて行われる。
【００２４】
使用者がダイヤルロック解除に必要と認識している入力操作が終わると、画面に表示されない解除操作のステップａ４に移行し、使用者はさらに認証操作を実施する。この操作を実施している最中の画面表示は変化しない。ここで使用する画面表示されない解除操作は、予め使用者により登録されており、携帯電話機が保有している機能を利用することが可能である。このときの認証処理が、図２の画面非表示認証部１７により、認証用情報記憶部１８に登録されている情報を用いて行われる。
【００２５】
例えば、使用する機能の一例として携帯電話機の開閉操作、設定値としては開閉の回数などを使用することもできる。使用者が画面表示される操作と、画面に表示されない操作および設定値の入力または操作が終わり確定すると、携帯電話機は予め登録されている認証操作や設定値と一致するか認証を実施する。これがステップａ５である。認証がＯＫの場合には、ステップａ６となつてダイヤルロックが解除される。認証ＮＧの場合には、ダイヤルロック状態のままで処理を終了する。
【００２６】
図４におけるステップａ４における解除操作のための事前設定登録動作、すなわち図３（ｄ）における画面に表示されていない認証操作のための事前設定登録動作について、図５を参照して説明する。図５を参照すると、ステップｂ１において、使用者はキー操作等により携帯電話機を認証登録モードに入ることが可能である。ステップｂ２において、使用者は画面に表示される認証に必要な情報を入力する。
【００２７】
次に、ステップｂ３に移行し、画面に表示しない認証の設定を使用するかどうかの選択を行う。使用者が画面非表示設定ありを選択した場合には、ステップｂ４に移行し、画面非表示操作の選択を実施する。ここでは、使用者がどのような認証機能を使用するのかが選択でき、例えば、携帯電話機の開閉動作、アンテナの伸縮、音声認識、タッチパネル操作、光センサー情報、外部コネクタの挿抜、ヘッドセット端子の挿抜などが、例として上げられる。携帯電話機が保有している機能であって、携帯電話機自体がその動作を認識できるものであれば、全て選択することが可能である。
【００２８】
ステップｂ４において、使用者が画面非表示操作の選択を行うと、ステップｂ５に移行して、画面非表示操作の認証登録を実施する。ここでは、ステップｂ４にて選択した機能のどのような設定値を使用するかを決定する。一例として、開閉動作の場合、携帯電話機を閉じて開く動作を１回とカウントし、これを設定値とすることも可能である。
【００２９】
ステップｂ５において、使用者が必要な画面非表示操作の認証登録入力を終えるとステップｂ６に移行し、今まで設定した画面に表示される認証と、画面に非表示の認証設定情報とを、図示せぬ記憶装置に格納する。ステップｂ７において、画面表示時の設定値、画面非表示時の操作と設定値の全てが登録完了すると、処理終了となる。ステップｂ３において、画面非表示設定を使用しない場合には、ステップｂ６に移行し、画面表示時の設定値を記憶装置へ格納し、登録完了すると処理が終了する。
【００３０】
次に、本発明の他の実施の形態について説明する。本例における携帯電話機の構成及び機能については、先の実施の形態と同様であるので図は省略するが、画面非表示のダイヤルロック解除操作を複数設定できる点で異なる。その他の構成部分は前述の実施の形態と同様ために、ここではその説明を省略するものとする。
【００３１】
次に、本実施例の携帯電話機の暗証番号認識方法の動作について、図６を用いて説明する。図６において、ステップｃ１からステップｃ４までは、前述の実施の形態の図４に示したステップａ１からａ４までの動作と同様のために、その説明を省略する。ステップｃ４において、画面に表示されないロック解除操作１を実施した後、使用者はステップｃ５の画面非表示のロック解除操作２へ移行する。前述の実施の形態では、画面非表示の解除設定は１種類のみであったが、本例では、予め使用者が設定しておくことにより複数の解除操作が使用可能なようになっている。
【００３２】
図６のフローチャートでは、一例として、画面非表示のロック解除を２つ記載しているが、これを複数個（組）の設定とすることができることは言うまでもない。ステップｃ４およびステップｃ５の操作を実施している最中の画面表示は変化しない。ここで使用する画面表示されない解除操作は、予め使用者により登録されている。使用者によって、画面表示される操作の他に、画面に表示されない複数の操作の入力が終わり確定すると、携帯電話機は予め登録されている認証操作や設定値と一致するかの認証を実施する。これがステップｃ６である。認証がＯＫの場合は、ステップｃ７となりダイヤルロックを解除する。認証ＮＧの場合はダイヤルロック状態のままで処理を終了する。
【００３３】
以上説明したように、本発明の他の実施例においては、先の実施例に加え以下に記載するような効果を奏する。すなわち、画面非表示のロック解除操作を複数組設定可能としたことにより、認証の組み合わせが複雑になり、使用者以外の人が解除方法を類推することがより困難となるので、秘匿性が増すことになり、更に秘匿性の高いダイヤルロック機能の認証機能が実現可能となる。
【００３４】
上記の実施の形態においては、折り畳み式携帯電話機を用いているが、折り畳み式に限定されるものではなく、また携帯電話機のみならず、広く携帯端末に適用可能であることは明白である。また、上述した動作フローは、予めプログラムとして動作手順をＲＯＭなどの記録媒体（図２のメモリ２０）に記録しておき、これをＣＰＵ１９であるコンピュータに読み取らせて実行させる様にすることができることは勿論である。
【図面の簡単な説明】
【００３５】
【図１】本発明の実施の形態に使用する携帯電話機の概略外観斜視図である。
【図２】本発明の実施の形態に使用する携帯電話機の概略機能ブロック図である。
【図３】本発明の実施の形態の表示画面の遷移を示す図である。
【図４】本発明の実施の形態の動作を示すフローチャートである。
【図５】本発明の実施の形態の認証登録動作を示すフローチャートである。
【図６】本発明の他の実施の形態の動作を示すフローチャートである。
【図７】従来技術を説明するためのフローチャートである。
【図８】従来技術の認証登録動作を示すフローチャートである。
【符号の説明】
【００３６】
７  表示部
８  操作部
１５  通信部
１６  画面表示認証部
１７  画面非表示認証部
１８  認証用情報記憶部
１９  ＣＰＵ（制御部）
２０  メモリ
【図１】
2006191245.tif 000003
【図２】
2006191245.tif 000004
【図３】
2006191245.tif 000005
【図４】
2006191245.tif 000006
【図５】
2006191245.tif 000007
【図６】
2006191245.tif 000008
【図７】
2006191245.tif 000009
【図８】
2006191245.tif 000010